(57)【要約】【課題】クルーンの流下溝に落下した遊技球を確実に当たり孔に入れる。【解決手段】クルーン２１の上面に、その中央部から端縁側に下り傾斜にされた流下溝２１ａを形成する。流下溝２１ａの下流側に当たり孔２１ｂを形成する。流下溝２１ａの底面の下流側に、当たり孔２１ｂに連通し且つその先端が流下溝２１ａの下流側を向いたＶ字形状の遊技球案内溝４０を形成する。流下溝２１ａの底面に、遊技球案内溝４０に沿って底面より一段低い段差４２を形成する。当たり孔２１ｂに向かって流下する遊技球９に勢いが付いていた場合でも、遊技球９を遊技球案内溝４０及び段差４２により戻して当たり孔２１ｂに入れることができる。【選択図】図７
2008307257.tif 000002
【特許請求の範囲】
【請求項１】
略垂直な軸を中心に周期的に回転駆動される円盤状の回転体を有し、前記回転体の上面にはその中央部から端縁側に下り傾斜とされた遊技球の流下溝が形成されるとともに、前記流下溝の下流側には当たり孔が形成され、前記流下溝の上流側に落下した前記遊技球が前記当たり孔に入ると遊技上の特典が付与されるパチンコ機において、
前記当たり孔に連通し、且つ先端が前記流下溝の下流側に向いたＶ字形状の遊技球案内溝を前記流下溝の底面に形成したことを特徴とするパチンコ機。
【請求項２】
前記流下溝の底面に、前記遊技球案内溝に沿って前記底面より一段低い段差を形成したことを特徴とする請求項１記載のパチンコ機。
【発明の詳細な説明】
【技術分野】
【０００１】
本発明は、パチンコ店などの遊技場で使用されるパチンコ機に関するものである。
【背景技術】
【０００２】
近年、パチンコ機は、例えば始動入賞口で遊技球が検知されたときに乱数を用いた抽選が行われて当たり／ハズレが決定され、この抽選の結果が液晶ディスプレイで表示されるデジパチ（第一種）、或いは始動入賞口に遊技球で検知されたときに役物の羽根が開閉し、羽根が開放されたときに役物内の当たり孔に遊技球が入ると当たりとなる羽根モノ（第二種）など様々なタイプのものが提供されている（例えば特許文献１参照）。そして、遊技者は好みに合わせてパチンコ機を選択して遊技を行うことができる。
【０００３】
第二種のパチンコ機には、クルーンと称される円盤状の回転体を備えたものがある（例えば特許文献２参照）。クルーンは、クルーンに対して略垂直な軸を中心に回転され、その上面には所定ピッチで複数個の開口が形成されている。そして、これら開口のうちの１つは当たり孔とされ、他はハズレ孔とされている。
【０００４】
このようなクルーンの上面には、その中央部から端縁側に下り傾斜とされた遊技球の流下溝が形成されるとともに、上述の当たり孔が流下溝の下流側に形成されているものが多い。そして、クルーンの上方から流下溝の上流側に落下した遊技球は、流下溝に沿って流下して当たり孔に入る。これにより、当たりとなって当たりモードに移行する。このようなパチンコ機では、当たりモードにおいて上述した羽根が１ラウンドあたり例えば１０回の開閉が繰り返されるとともに、複数ラウンドが実行されるため、役物内に遊技球を容易に入賞させることが可能になり、遊技者は大量の賞球を獲得できる。
【特許文献１】特開２００６−３２５９６４号公報
【特許文献２】特開２００５−２７０４０４号公報
【発明の開示】
【発明が解決しようとする課題】
【０００５】
ところで、上述の流下溝を流下する遊技球に勢いが付いてしまうと、当たり孔付近で遊技球の暴れ（イレギュラーな変位）が発生して遊技球が当たり孔に入らない場合がある。このようなイレギュラーが発生すると、遊技者にとって当たり孔に遊技球が入るであろうという期待が一瞬にして裏切られることになる。その結果、遊技者は損した気持ちを抱くばかりか遊技に対する興趣を失ってしまうという問題が発生する。
【０００６】
本発明は上記問題を解決するためのものであり、当たり孔付近での遊技球の暴れを抑えて、遊技球を確実に当たり孔に入れられるようにしたパチンコ機を提供することを目的とする。
【課題を解決するための手段】
【０００７】
上記問題を解決するため、本発明は、略垂直な軸を中心に周期的に回転駆動される円盤状の回転体を有し、前記回転体の上面にはその中央部から端縁側に下り傾斜とされた遊技球の流下溝が形成されるとともに、前記流下溝の下流側には当たり孔が形成され、前記流下溝の上流側に落下した前記遊技球が前記当たり孔に入ると遊技上の特典が付与されるパチンコ機において、前記当たり孔に連通し、且つ先端が前記流下溝の下流側に向いたＶ字形状の遊技球案内溝を前記流下溝の底面に形成したことを特徴とする。
【０００８】
前記流下溝の底面に、前記遊技球案内溝に沿って前記底面より一段低い段差を形成したことが好ましい。
【発明の効果】
【０００９】
本発明のパチンコ機は、回転体の上面に遊技球の流下溝を形成し、この流下溝の下流側に当たり孔を形成するとともに、この当たり孔に連通し、且つ先端が流下溝の下流側に向いたＶ字形状の遊技球案内溝を流下溝の底面に形成するようにしたので、遊技球が流下溝に沿って当たり孔に案内される際に遊技球に勢いが付いたとしても、当たり孔付近での遊技球の暴れを抑えて、遊技球を確実に当たり孔に入れることができる。その結果、遊技者にとって当たり孔に遊技球が入るであろうという期待が裏切られて遊技に対する興趣を失ってしまうことが防止される。
【００１０】
また、前記流下溝の底面に、前記遊技球案内溝に沿って段差を形成したので、当たり孔付近での遊技球の暴れをより抑えて、遊技球を確実に当たり孔に入れることができる。
【発明を実施するための最良の形態】
【００１１】
図１及び図２に示すように、パチンコ機１０には遊技盤１１が組み込まれている。遊技盤１１の盤面には略中央部に役物１２が設けられている。役物１２は外周が釣鐘型に形成されている。役物１２の両側部には一対の羽根１３が設けられている。羽根１３は、その基端部が前後方向に延びる軸に軸着されており、役物１２内に連通する入口１２ａ（図２参照）を閉じる閉じ位置と入口１２ａを開放する開放位置との間で回動する。羽根１３が開放位置に回動したときに入口１２ａを通過した遊技球９は役物１２内に入賞する。役物１２内に遊技球９が入賞すると賞球が払い出される。羽根１３は、通常モードで３つの始動入賞口１４のいずれかに遊技球９が入賞したときに１回開閉し、当たりモードで１ラウンドあたり１０回開閉する。当たりモードは１２ラウンド実行されると終了する。
【００１２】
役物１２内にはステージ１７が設けられている。ステージ１７は、上ステージ１８と下ステージ１９との上下２段構成になっている。ステージ１７の奥には可動役物２０が設けられている。可動役物２０は水平方向に延びる軸に軸支されており、図示しないモータの駆動によって一定周期で上下方向に揺動する。下ステージ１９の下方にはクルーン（回転体）２１が設けられている。
【００１３】
図３に示すように、クルーン２１はクルーンユニット３０に組み込まれている。クルーンユニット３０は、クルーン２１とステッピングモータ３１と複数のギヤ３２とフォトセンサ３３とからなる。クルーン２１は、円盤状に形成されており、その下方にはステッピングモータ３１が設けられている。ステッピングモータ３１の駆動力は、各ギヤ３２を介してクルーン２１に伝達される。これにより、クルーン２１は、このクルーン２１に対して略垂直な軸を中心に周期的に時計回りに回転駆動される。
【００１４】
クルーン２１の上面には、その中央部から端縁側に下り傾斜にされた流下溝２１ａが形成されている。流下溝２１ａの下流側にはクルーン２１を貫通した当たり孔２１ｂが形成されており、流下溝２１ａに入った遊技球９は当たり孔２１ｂに案内される。
【００１５】
当たり孔２１ｂの下方には、クルーン２１が特定位置に回転したときに当たり孔２１ｂと重なる回収孔３４が形成されている。回収孔３４は、クルーン２１の中心軸よりも手前側に配置されている。回収孔３４は当たり孔２１ｂと略同一の大きさに形成されており、当たり孔２１ｂに入った遊技球９はクルーン２１が特定位置に回転したときに回収孔３４から回収される。また、クルーン２１の上面には、その回転方向に沿って配置された複数のハズレ孔２１ｃが形成されている。ハズレ孔２１ｃはクルーン２１を貫通しておらず、ハズレ孔２１ｃに入った遊技球９はクルーン２１の側方に設けられた回収孔３５（図４参照）から回収される。回収孔３４に連通する球通路と回収孔３５に連通する球通路とのそれぞれには磁気センサ（図示せず）が設けられており、いずれの磁気センサで遊技球９が検知されたかによって遊技球９が当たり孔２１ｂ及びハズレ孔２１ｃのいずれに入ったかが検出される。通常モード中に当たり孔２１ｂに遊技球９が入ったことが検知されると通常モードから当たりモードに移行（遊技上の特典）する。
【００１６】
クルーン２１の下方にはフォトセンサ３３が設けられている。フォトセンサ３３はクルーン２１の下面に設けられた信号片が回転してきたことを検知し、これにより、クルーン２１が基準位置に回転したことが検出される。ステッピングモータ３１に供給された駆動パルスの個数は図示しない制御基板によってカウントされており、そのカウント値はクルーン２１が基準位置を通過するたびにクリアされる。これにより、１回転内の回転角に対応した駆動パルスの個数に基づいてクルーン２１の回転位置を特定することができる。
【００１７】
図２に示すように、入口１２ａから役物１２内に入賞した遊技球９は上ステージ１８に落下する。上ステージ１８は中央部が盛り上がるように湾曲しており、中央部から両側端に向けて下り傾斜になっている。上ステージ１８の両側端部には下ステージ１９に遊技球９を落下させる落下孔１８ａが形成されており、中央部には上ステージ１８の後方に遊技球９を落下させる落下溝１８ｂが形成されている。上ステージ１８の遊技球９は落下孔１８ａに入って下ステージ１９に落下するか又は落下溝１８ｂから後方に落下する。
【００１８】
図４に示すように、下ステージ１９に落下した遊技球９は、奥側に下る第１スロープ１９ａを流下して下ステージ１９の後端側に案内される。下ステージ１９の後端側に案内された遊技球は、その両側方に設けられたハズレ孔１９ｂに入るか又は中央に向かって下る第２スロープ１９ｃによってクルーン２１に案内される。第２スロープ１９ｃによってクルーン２１に案内された遊技球９はクルーン２１の流下溝２１ａ又はハズレ孔２１ｃに入る。
【００１９】
なお、遊技球９が流下するときの勢いや上ステージ１８から下ステージ１９に遊技球９が落下したときの勢いで、第１スロープ１９ａや第２スロープ１９ｃから遊技球９がクルーン２１上に乗り上げることもあり、必ずしも上記のように規則的に遊技球９が案内されるとは限らない。この場合はクルーン２１上に乗り上げた遊技球９が、直接、流下溝２１ａやハズレ孔２１ｃに入ったり、或いは、クルーン２１上を数秒の間転動してから流下溝２１ａやハズレ孔２１ｃに入ったりするなど様々な態様で遊技球９は流下する。
【００２０】
図５に示すように、当たり孔２１ｂに入った遊技球９は、クルーン２１が特定位置に回転して当たり孔２１ｂと前述した回収孔３４（図３参照）とが重なると回収孔３４に入って回収される。
【００２１】
図６に示すように、下ステージ１９の前方側でその中央部には略楕円形状の球受け皿１９ｄが形成されている。先に説明した上ステージ１８の落下溝１８ｂから遊技球９が落下したときに可動役物２０が上方に位置していると可動役物２０の受け口２０ａで遊技球９が受け止められる。受け口２０ａで受け止められた遊技球９は、可動役物２０が下方に揺動したときに球受け皿１９ｄに流下する。球受け皿１９ｄに流下した遊技球９は、落下孔１９ｅからクルーン２１の流下溝２１ａ内に落下する。そして、流下溝２１ａの上流側に落下した遊技球９は、当たり孔２１ｂに向かって流下する。
【００２２】
図３及び図７に示すように、流下溝２１ａの底面の下流側、より具体的には当たり孔２１ｂよりも下流側には、遊技球案内溝（切り欠きでも可）４０が形成されている。この遊技球案内溝４０は、その後端が当たり孔２１ｂに連通するとともに、その先端が流下溝２１ａの下流側を向いたＶ字形状に形成されている。また、流下溝２１ａの底面には、遊技球案内溝４０に沿って、つまり、遊技球案内溝４０の周りを縁取るように、底面より一段低い段差４２が形成されている。
【００２３】
このように、流下溝２１ａの底面に遊技球案内溝４０及び段差４２を形成することで、当たり孔２１ｂ付近での遊技球９の暴れ（イレギュラーな変位）が抑えられる。具体的には、本実施形態のように遊技球案内溝４０及び段差４２が形成されていないと、当たり孔２１ｂに向かって流下する遊技球９に勢いが付いていた場合に、遊技球９が当たり孔２１ｂを飛び越えて、流下溝２１ａの下端からクルーン２１外に落下してしまうおそれがある。
【００２４】
これに対して、本実施形態のように遊技球案内溝４０及び段差４２が形成されている場場合には、図８に示すように、遊技球９が当たり孔２１ｂを飛び越える際に遊技球９の一部が遊技球案内溝４０及び段差４２内に入り込む。このときに、遊技球案内溝４０及び段差４２は、流下溝２１ａの下流側（下端）に向かうに従い次第に狭幅になるので、遊技球９には流下溝２１ａの上流側に向かう力（図中矢印方向）が掛かる。
【００２５】
また、図９に示すように、本実施形態では段差４２を形成することで、遊技球９は、段差４２により形成されるエッジ部４３ａ，４３ｂにそれぞれＸ点とＹ点とで接触する。これにより、遊技球９を流下溝２１ａの上流側に向かわせる力を発生させるという効果をより高めることができる。
【００２６】
上述したような力が遊技球９に掛かることで、遊技球９は上流側に戻って当たり孔２１ｂに入る。従って、流下溝２１ａを流下する遊技球９に勢いが付いていた場合でも、当たり孔２１ｂ付近での遊技球９の暴れが抑えられて、遊技球９が当たり孔２１ｂに入る。
【００２７】
次に、本実施形態のパチンコ機１０の作用について説明を行う。遊技盤１１の盤面上に遊技球９が打ち出され、始動入賞口１４に遊技球９が入賞すると羽根１３が開閉する。羽根１３が開閉したときに遊技球９が入口１２ａから役物１２内に入賞すると、この遊技球９は上ステージ１８に落下する。上ステージ１８に落下した遊技球９が落下溝１８ｂから上ステージ１８の後方に落下し、落下した遊技球９が可動役物２０の受け口２０ａで受け止められると、受け止められた遊技球９が下ステージ１９の球受け皿１９ｄに案内される。球受け皿１９ｄに案内された遊技球９は、落下孔１９ｅからクルーン２１の流下溝２１ａの上流側に落下する。
【００２８】
流下溝２１ａの上流側に落下した遊技球９は、当たり孔２１ｂに向かって流下して当たり孔２１ｂに入る。この際に、流下する遊技球９に勢いが付いていた場合には、遊技球９は当たり孔２１ｂを飛び越えようとするが、遊技球９の一部が遊技球案内溝４０及び段差４２内に入り込むことで、遊技球９には流下溝２１ａの上流側に向かう力（図８及び図９参照）が掛かる。これにより、遊技球９は、遊技球案内溝４０及び段差４２により当たり孔２１ｂの方に戻されるため、当たり孔２１ｂに入る。
【００２９】
次いで、遊技球９が当たり孔２１ｂで保持された状態でクルーン２１は回転する。そして、クルーン２１の回転位置が当たり孔２１ｂと回収孔３４とが一致する位置になったときに当たり孔２１ｂの遊技球９が回収孔３４に入る。この後、通常モードから当たりモードに移行して当たりモードでの遊技が行われる。
【００３０】
以上のように本実施形態では、流下溝２１ａの底面に遊技球案内溝４０及び段差４２を形成することで、当たり孔２１ｂに向かって流下する遊技球９に勢いが付いていた場合に、当たり孔２１ｂを飛び越えようとする遊技球９を遊技球案内溝４０及び段差４２により戻して当たり孔２１ｂに入れることができる。これにより、当たり孔２１ｂ付近での遊技球９の暴れを抑えて、遊技球９を確実に当たり孔に入れることができる。その結果、流下溝２１ａに遊技球９が落下した場合には、遊技者の期待を裏切ることなく遊技球９が確実に当たり孔２１ｂに入るため、遊技者が遊技に対する興趣を失ってしまうことが防止される。
【００３１】
また、本実施形態では、遊技案内溝４０と共に段差４２を形成するようにしたので、当たり孔２１ｂ付近での遊技球９の暴れをより確実に抑えることができる。
【００３２】
なお、上記実施形態では、遊技球案内溝４０と共に段差４２を形成した場合を例に挙げて説明を行ったが、本発明はこれに限定されるものではなく、遊技球案内溝４０のみを形成するようにしてもよい。
【００３３】
また、上記実施形態では、クルーン２１にハズレ孔２１ｃを設けた場合を例に挙げて説明を行ったが、必ずしもハズレ孔を設けなくともよい。
【００３４】
なお、上記実施形態では、本発明のＶ字形状の遊技球案内溝として遊技球案内溝４０を例に挙げて説明を行ったが、本発明はこれに限定されるものではない。例えば図１０に示すように、遊技球案内溝４０とは異なるＶ字形状の遊技球案内溝５０が形成されていてもよい。また、この場合には、遊技球案内溝５０の周りを縁取るように凹凸面５１を形成してもよい。なお、本実施形態では、凹凸面５１は当たり孔２１ｂに向かって下り傾斜となるように形成されているが、水平に形成されていてもよい。また、凹凸面５１の凹凸部の形状、大きさ、数についても特に限定はされない。
【００３５】
遊技球案内溝５０は、遊技球案内溝４０と同様にＶ字形状に形成されているが、溝の中央部から両端部に向かうに従い次第に円弧状に拡がるように形成されている。このような形状の遊技球案内溝５０は、遊技球９と遊技球案内溝５０とが接触する初期位置Ｓ（図中一点鎖線で表示）において、遊技球９との接触部（接触面積）を増やすことができる。これにより、遊技球９を流下溝２１ａの上流側に向かわせる力を発生させるという効果がより高められる。また、この際に凹凸面５１が遊技球９の流下に対する抵抗となる。その結果、遊技球案内溝４０及び段差４２を形成した場合と同様に、当たり孔２１ｂ付近での遊技球９の暴れをより確実に抑えることができる。
【００３６】
また、上記実施形態では、羽根モノのパチンコ機に本発明を適用した場合を例に挙げて説明を行ったが、例えばクルーン２１の当たり孔に遊技球が入ると別個に設けたアタッカの開閉が繰り返される当たりモードに移行するパチンコ機に本発明を適用するなど、クルーンの使用態様及び当たり孔に遊技球が入ったときの遊技上の特典は適宜に設定してよい。
【図面の簡単な説明】
【００３７】
【図１】パチンコ機全体の概略を示す正面図である。
【図２】役物の外観斜視図である。
【図３】クルーンユニットの分解斜視図である。
【図４】上ステージ及び下ステージの球受け皿を除いた状態の下ステージの構成を示す説明図である。
【図５】クルーンが特定位置に回転して当たり孔と回収孔とが重なったときのクルーンの回転状態を示す説明図である。
【図６】可動役物の受け口で受けた遊技球を球受け皿に案内するときの状態を示す説明図である。
【図７】クルーンの上面図であり、流下溝の上流側に遊技球が落下した状態を示したものである。
【図８】流下溝の拡大図であり、遊技球が遊技球案内溝及び段差により当たり孔に戻される状態を示したものである。
【図９】図８中のＩＸ−ＩＸ線に沿う断面図である。
【図１０】遊技球案内溝の形状が異なる他の実施形態の流下溝の拡大図である。
【符号の説明】
【００３８】
９  遊技球
１０  パチンコ機
１２  役物
２１  クルーン（回転体）
２１ａ  流下溝
２１ｂ  当たり孔
４０  遊技球案内溝
４２  段差
【図１】
2008307257.tif 000003
【図２】
2008307257.tif 000004
【図３】
2008307257.tif 000005
【図４】
2008307257.tif 000006
【図５】
2008307257.tif 000007
【図６】
2008307257.tif 000008
【図７】
2008307257.tif 000009
【図８】
2008307257.tif 000010
【図９】
2008307257.tif 000011
【図１０】
2008307257.tif 000012